(57)【要約】      （修正有）【課題】ワイヤロープ等の紐状体を弛み等に関係することなく巻回ドラムの回転駆動を適切に伝えてスムーズに移動／巻き取りすることができ、従来の施設への取り付けを簡素化することができ、且つ利用頻度の高いウインチ及びウインチを用いたワイヤロープ等の紐状体の巻取／引出方法を提供する。【解決手段】ワイヤロープ等の紐状体７を巻回ドラム２に巻回し、巻回ドラムを正／逆回転駆動することで一方より他方にワイヤロープ等の紐状体を移動するウインチ１において、巻回ドラムの少なくとも外周の一部又は近傍には巻回ドラムの正／逆回転駆動に応じてワイヤロープ等の紐状体を押圧しながらその移動を補助するための移動補助手段６が設けられている。【選択図】図１
2008100840.tif 000002
【特許請求の範囲】
【請求項１】
ワイヤロープ等の紐状体を巻回するための巻回ドラムと、巻回ドラムを正／逆回転駆動する駆動源とから構成され、一方よりワイヤロープ等の紐状体を取り込むとともに、他方よりワイヤロープ等の紐状体を取り出し移動するウインチにおいて、前記巻回ドラムの外周の少なくとも一部又は近傍には、巻回ドラムの正／逆回転駆動に応じて、ワイヤロープ等の紐状体を押圧しながらその移動を補助するための押圧補助手段が設けられていることを特徴とするウインチ。
【請求項２】
一方よりワイヤロープ等の紐状体を取り込むとともに、他方よりワイヤロープ等の紐状体を取り出すように巻回するための巻回ドラムと、巻回ドラムを正／逆回転駆動する駆動源と、該巻回ドラムに巻回したワイヤロープ等の紐状体を巻回ドラム側に押圧すべく巻回ドラムの外周に密接して設けられた長尺状の押圧移動体とから構成されたウインチにおいて、前記押圧移動体の少なくとも一方の端部の内側又は外側には、巻回ドラムの正／逆回転駆動に応じて、ワイヤロープ等の紐状体の取り込み側を直接又は間接的に巻回ドラム方向に押圧しながらその取り込み移動を補助するための移動補助手段が設けられていることを特徴とするウインチ。
【請求項３】
ワイヤロープ等の紐状体を巻回するための巻回ドラムと、巻回ドラムを正／逆回転駆動する駆動源とから構成され、一方よりワイヤロープ等の紐状体を取り込むとともに、他方よりワイヤロープ等の紐状体を取り出し移動するウインチを用いてワイヤロープ等の紐状体を一方より他方に移動した後、該他方に移動したワイヤロープ等の紐状体を巻取リール等の取込出手段で取り込み／取り出しするウインチを用いたワイヤロープ等の紐状体の取り込み／取り出し方法において、巻回ドラムの正／逆回転駆動時のワイヤロープ等の紐状体の各移動方向に応じてワイヤロープ等の紐状体の取り込み側又は取り出し側を巻回ドラム方向に押圧しながらその取り込み移動を補助し、又はワイヤロープ等の紐状体を巻回ドラムより取り出す側の押圧を解除して取り出し移動を補助しながらワイヤロープ等の紐状体を所望の方向に移動した後、該移動した量のワイヤロープ等の紐状体を所望の方向に自在に対応して取込出手段で取り込み／取り出しすることを特徴とするウインチを用いたワイヤロープ等の紐状体の取り込み／取り出し方法。
【発明の詳細な説明】
【技術分野】
【０００１】本発明は、ロープを確実に巻き取り、無端状に移動することのできるウインチ及び該ウインチを用いたワイヤロープ等の紐状体の取り込み／取り出し方法に関する。
【背景技術】
【０００２】例えば、無端状のウインチを使用する屋外の施設の一例としては、野球、サーカー等の球技施設、ゴルフ場又はその練習場で使用されている防球用のネットがある。この防球用のネットは支柱間に吊り張りされたワイヤロープをウインチで移動することで、ネットを上下に昇降移動したり、左右へ開閉移動したり、又はこれらを組み合わせて移動している。
近年においては、屋外のプールの上方に紫外線をカットするためのＵＶシートが設けられ、該ＵＶシートも上記と同様に支柱間に吊張されたワイヤロープをウインチで移動することで、開閉移動している。
また、建設現場や高速道路における防雨用、防霧用や防雪用のネット／シートの移動用として、また、観測用の気球等の昇降用としても無端状のウインチが使用されている。【０００３】無端状のウインチを使用する屋内の施設の一例としては、学校の体育館又は大空間部を有する多目的の室内球技場では、その空間部の間仕切り用ネット及び／又は防球用のネットの昇降移動や開閉移動用として使用されている。
この防球用のネット又は間仕切り用ネットは、天井の一方の側壁より他方の側壁に沿って吊張されたワイヤロープをウインチを用いて移動することで該ワイヤロープに間接的又は直接的に設けられたネットを開閉移動したり、又は天井の円弧部に沿って吊張されたワイヤロープをウインチを用いて移動することで該ワイヤロープに間接的又は直接的に設けられたネットを昇降移動している。【０００４】上記屋外で使用するワイヤロープは、風の影響を受けやすく、特にネット／シートが設けられている施設においては風の影響が強く支柱が損傷することもあり風の強い日にはウインチを用いてワイヤロープを移動してネット等を速やかに収納しなければならない。【０００５】また、上記屋内施設では、屋内の使用目的によりウインチを用いてワイヤロープを移動してネットを昇降移動して間仕切りを変更するが、昇降移動時にネットの荷重がウインチ近傍の一方のワイヤロープにかかり、ウインチでワイヤロープをスムーズに移動するためには、他方のワイヤロープにテンションをかけてワイヤロープ全体を緊張した状態に維持する必要がある。【０００６】上記ワイヤロープを移動するウインチとしてはその目的に応じて巻取リールの設けられた巻取式ウインチや、ワイヤロープを無端状に移動する無端状ウインチが使用されているが、巻取式ウインチは使用するワイヤロープの本数に対応した台数のウインチを設置する必要があり、無端状ウインチを使用する場合に比し使用台数が増加してコストがかかるために近年は無端状ウインチを使用する場合が多い。【０００７】無端状ウインチとしては、例えば特開２０００−３５１５８０号公報に開示されたウインチがある。
このウインチは、ウインチ本体と、ウインチ本体に設けられワイヤロープを巻回移動するための巻回ドラムと、ワイヤロープを巻回ドラムの周面に押しつけるローラーチエーンとからなり、しかも、ローラーチエーンの両端側がウインチ本体に設けられた弾性体により張設されている構成である。【０００８】上記ウインチは、ローラーチエーンの両端側がウインチ本体に設けられた弾性体により張設されているので、常に巻回ドラムの回転方向にローラーチエーンが引っ張られた状態となり、ワイヤロープの巻回ドラムへの取り込み側が押圧されワイヤロープの巻回ドラムよりの取り出し側がフリー（テンションのかからない）状態となる。しかもワイヤロープを巻回ドラムの周面に押圧した状態で移動することができるので、ワイヤロープ移動中の力のロスがなく、また移動中のワイヤロープのズレがなく適切な移動を可能とする。
【発明が解決しようとする課題】
【０００９】しかしながら、上記従来無端状ウインチは、ローラーチエーンの両端側に弾性体が設けられているために、テンションのかかってない又はテンションの弱いワイヤロープの場合でも円滑に移動することができるものの、ワイヤロープにかかるテンションの大きさやテンションの変化によりローラーチエーンが必要以上に巻回ドラム外周を移動したり、移動が十分に行えない場合が発生し、巻回ドラム側への押圧力が不十分となりワイヤロープのスムーズな移動ができない場合が発生する。
【００１０】また、ローラーチエーンの両端側に弾性体を設ける構成は煩雑であるために、通常両端側又は一端側を固定式のローラーチエーンを使用するが、この場合はローラーチエーンは巻回ドラムの周面を押圧する作用のみであるためにワイヤロープの磨耗が激しいという欠点があった。
【００１１】また、従来のウインチでは、ワイヤロープを巻回ドラム側へ移動する際、ワイヤロープを案内移動する案内ローラー間を狭めることで巻回ドラムへのワイヤロープの巻き付けを強くする必要があるが、案内ローラー間を狭めるとウインチより取り出されたワイヤロープに屈折した癖がつき、磨耗の原因になるという欠点があった。
【００１２】また、従来のウインチにおいては、ワイヤロープのウインチへの取り込み側と取り出し側との方向が相違する場合は、特に、１８０度変更する場合は、巻回ドラムにローラーチエーンが設置できないという欠点があった。
【００１３】また、すでに設置されている巻取用リールと無端状ウインチとを用いた施設（屋内のネットの移動装置等）においては、無端状ウインチと巻取リールとの回転軸が別々であるために、無端状ウインチで移動したワイヤロープの移動量と、巻取用リールによる移動したワイヤロープの巻き取り量とが同じでなくその移動量の調整が煩雑でありスムーズにワイヤロープの巻き取りが行えない場合がある。
【００１４】特に、ウインチでのワイヤロープの移動に弛み等が発生すると移動がスムーズに行えなく、適切なワイヤロープの取り込みができないという大きな問題点があった。
【００１５】また、従来の無端状ウインチはワイヤロープの取り込み側と取り出し側との方向が自在に変更できないために、巻取用リールの設置位置をウインチに近接した位置、又は一体化した位置に制限されるという欠点があった。
【００１６】そこで、本発明は、ワイヤロープ等の紐状体を弛み等に関係することなく巻取ドラムの回転駆動を適切に伝えて、スムーズに移動／取り込みすることができ、従来の施設への取り付けを簡素化することができ、且つ利用頻度の高いウインチ及びウインチを用いたワイヤーロープ等の紐状体の取り込み／取り出し方法を提供することを課題とする。
【課題を解決するための手段】
【００１７】本発明は上記課題を解決するためのウインチの第１の手段は、ワイヤロープ等の紐状体を巻回するための巻回ドラムと、巻回ドラムを正／逆回転駆動する駆動源とから構成され、一方よりワイヤロープ等の紐状体を取り込むとともに、他方よりワイヤロープ等の紐状体を取り出し移動するウインチにおいて、前記巻回ドラムの外周の少なくとも一部／又は近傍には、巻回ドラムの正／逆回転駆動に応じて、ワイヤロープ等の紐状体を押圧しながらその移動を補助するための押圧補助手段が設けられていることを特徴とする。
【００１８】また、ウインチの第２の手段は、一方よりワイヤロープ等の紐状体を取り込むとともに、他方よりワイヤロープ等の紐状体を取り出すように巻回するための巻回ドラムと、巻回ドラムを正／逆回転駆動する駆動源と、該巻回ドラムに巻回したワイヤロープ等の紐状体を巻回ドラム側に押圧すべく巻回ドラムの外周に密接して設けられた長尺状の押圧移動体とから構成されたウインチにおいて、前記押圧移動体の少なくとも一方の端部の内側又は外側には、巻回ドラムの正／逆回転駆動に応じて、ワイヤロープ等の紐状体の取り込み側を直接又は間接的に巻回ドラム方向に押圧しながらその取り込み移動を補助するための移動補助手段が設けられていることを特徴とする。
【００１９】ウインチを用いたワイヤロープ等の紐状体の巻き取り方法に関する手段は、ワイヤロープ等の紐状体を巻回するための巻回ドラムと、巻回ドラムを正／逆回転駆動する駆動源とから構成され、一方よりワイヤロープ等の紐状体を取り込むとともに、他方よりワイヤロープ等の紐状体を取り出し移動するウインチを用いて、ワイヤロープ等の紐状体を一方より他方に移動した後、該他方に移動したワイヤロープ等の紐状体を巻取リール等の取込出手段で取り込み／取り出しするウインチを用いたワイヤロープ等の紐状体の取り込み／取り出し方法において、巻回ドラムの正／逆回転駆動時のワイヤロープ等の紐状体の各移動方向に応じて、ワイヤロープ等の紐状体の取り込み側又は取り出す側を巻回ドラム方向に押圧しながらその取り込み移動を補助し、又はワイヤロープ等の紐状体を巻回ドラムより取り出す側の押圧を解除して取り出し移動を補助しながらワイヤロープ等の紐状体を所望の方向に移動した後、該移動した量のワイヤロープ等の紐状体を所望の方向に自在に対応して取込出手段で取り込み／取り出しすることを特徴とする。
【発明の作用・効果】
【００２０】本発明のウインチは、先ずワイヤロープ等の紐状体を巻回ドラムに接する位置に移動し、巻回ドラムを回転駆動することにより巻回ドラムの一方より周面に沿ってワイヤロープ等の紐状体を巻回するように移動して巻回ドラムの他方より取り出し移動する。
【００２１】この際、ワイヤロープ等の紐状体は、巻回ドラムの正／逆回転駆動時それぞれにおいて、巻回ドラムの外周の少なくとも一部／又は近傍に設けられた移動補助手段によりワイヤロープ等の紐状体を巻回ドラム側に押圧しながらその移動を補助することでワイヤロープ等の紐状体に、例えば弛み／撓みが発生しても適切に巻回ドラムへの取り込み移動を行うことができ、従来のように巻回ドラムが空回りすることなく確実に移動することができる。
【００２２】上記ワイヤロープ等の紐状体への移動を補助する具体的方法は、ワイヤロープ等の紐状体の巻回ドラムへの取り込み側を巻回ドラム方向に押圧しながらその取り込み移動を補助し、また、ワイヤロープ等の紐状体を巻回ドラムより取り出す側の押圧を解除して取り出し移動を補助することで、巻回ドラムの回転駆動をワイヤロープ等の紐状体に確実に伝え、ワイヤロープ等の紐状体の取り込み及び取り出し移動を確実に行うことができる。
【００２３】このため、例えば、ワイヤロープ等の紐状体に弛み／撓みが発生しても巻回ドラムへの取り込み移動を行うことができ、従来のように巻回ドラムが空回りすることなく確実に移動することができ、ワイヤロープ等の紐状体の磨耗を極力抑えることができる。
【００２４】また、巻回ドラムの外周に押圧移動体が設けられたウインチにおいては、ワイヤロープ等の紐状体を巻回ドラムの外周の溝に押圧移動体で押圧しながら巻回ドラムの回転駆動を伝えて押圧移動する際、少なくとも押圧移動体の一方の端部の外側（ワイヤロープ等の紐状体の取り込み側）に設けられた移動補助手段により押圧移動体の一方を巻回ドラム側に押圧しながらワイヤロープ等の紐状体の取り込み移動を間接的に補助する。
【００２５】または、押圧移動体の一方の端部の内側に移動補助手段を設ける場合は、上記とは逆に押圧移動体が移動補助手段の巻回ドラム側への押圧を補助してワイヤロープ等の紐状体の取り込み移動を直接的に補助する。
【００２６】このように、巻回ドラムへの取り込み側のワイヤロープ等の紐状体を少なくとも巻回ドラム側に押圧した状態で、巻回ドラムの回転に沿って取り出し側へと空回りすることなく移動することができる。
【００２７】この際も、上記と同様に移動補助手段によりワイヤロープ等の紐状体の取り出し側の押圧移動体による巻回ドラム側への押圧を解除することで、ワイヤロープ等の紐状体を適切に取り出し移動することができる。
【００２８】上記各例のように、本発明の移動補助手段を使用すると、巻回ドラムの回転駆動力を確実にワイヤロープ等の紐状体に伝えることができ、無駄なくスムーズで適切なワイヤロープ等の紐状体を移動することができる。このため、ワイヤロープ等の紐状体に弛み／撓みが発生することがあっても、従来のように巻回ドラムが空回りしたりすることなく確実にワイヤロープ等の紐状体の移動を可能とする。
【００２９】また、巻回ドラムに対応して押圧移動体による押圧を調整することで巻回ドラムの回転駆動をワイヤロープ等の紐状体に確実に伝えることができ、また巻回ドラムによるワイヤロープ等の紐状体の一方より他方への移動時にワイヤロープ等の紐状体が空回り等することなくスムーズに移動することができる。
【００３０】また、ウインチを用いたワイヤロープ等の紐状体の取り込み／取り出し方法は、ワイヤロープ等の紐状体を巻回ドラムに一方より他方に移動するように巻回し、巻回ドラムを正／逆回転駆動することでワイヤーロープ等の紐状体の巻回された巻回ドラムの外周の少なくとも一部／又は近傍を巻回ドラムの正／逆回転駆動時のワイヤロープ等の紐状体のあらゆる移動方向に応じて、ワイヤロープ等の紐状体の取り込み側では巻回ドラム側にワイヤロープ等の紐状体を押圧しながらその取り込み移動を補助し、ワイヤロープ等の紐状体の取り出し側では巻回ドラム側へのワイヤロープ等の紐状体の押圧を解除しながらワイヤロープ等の紐状体を所望の方向（取り込み方向と取り出し方向とが同じ方向、相違する方向（逆、９０度角度の相違する方向等））に移動した後、移動した量のワイヤロープ等の紐状体を所望の方向に自在に対応して取込出手段で取り込み／引き出しする。
【００３１】これにより、ウインチの使用方法（ワイヤロープ等の紐状体の一方より他方への移動方向）によりウインチの設置場所、またはウインチとの距離を自在に設置して取込出手段の設置場所を対応することができる。
【００３２】このように、本発明のウインチは、移動補助手段が巻回ドラムの外周／又は近傍に設けられているので、ワイヤロープ等の紐状体にテンションがかかった状態でも、テンションがかかっていなくて弛み／撓んだ状態でも同様に無駄なくスムーズに移動することができ、従来のウインチ移動に比し常に一定量のワイヤロープ等の紐状体の移動を的確に行うことができる。
【００３３】また、本発明のウインチはその構成も簡易であり、また１つのウインチに少なくとも１以上の巻回ドラムを同軸又は別々の軸に設けることも可能であるためにネット等の各システムに使用する場合に、従来の比しウインチの個数の削減を可能としコストの低減を可能とする。
【００３４】また、従来のウインチ（巻取式ウインチ、無端状のウインチ）と連動するように本発明のウインチを設置する、又は従来のウインチの駆動軸に本発明の構成のウインチの巻回ドラムを設けることで、ウインチの駆動の安全性を格段に向上することができる他、既存の施設を大きく改造することなく、従来施設をそのまま使用して設置時のコストを格段に低減することができる。
【００３５】また、ウインチを利用した方法は、ワイヤロープ等の紐状体の巻回ドラムへの押圧力及び移動量を簡易な構成で確実に調整することができるので、その利用範囲を格段に広げることが可能となる。
【００３６】また、移動補助手段も自在に設定することができるので、そのウインチを使用する各種施設、装置等の利用範囲をさらに拡大することができる。
【発明を実施するための最良の形態】
【００３７】以下、本発明のウインチ、該ウインチを用いたワイヤロープ等の紐状体の取り込み／取り出し方法の一実施例について下記のような各図面を用いて説明する。【００３８】図１乃至図１９はウインチの構成及びウインチの使用方法についての図面であり、図２０乃至図２４はウインチを用いたワイヤロープ等の紐状体の巻き取り方法の付いての図面である。【００３９】図１は本発明の基本となるウインチの説明図で、本発明の移動補助手段の設けられた１実施例のウインチを示す概略説明図である。
図２乃至図４は、巻回ドラムと移動補助手段との関連を図示し、図２は紐状体の取り込み側の巻回ドラムと移動補助手段との関連を示す概略一部断面説明図であり、図３は巻回ドラムと移動補助手段と紐状体との位置関係を示す概略断面説明図であり、図４は紐状体の取り出し側の巻回ドラムと移動補助手段との関連を示す概略一部断面説明図であり、図５は、紐状体の取り込み／取り出しに関し、従来のウインチとの対比を示す概略説明図である。【００４０】図６乃至図８は押圧移動体の設けられた第２の実施例のウインチを示す概略説明図である。
図６は押圧移動体の両側にテンションが設けられ、且つ押圧移動体の取り込み側／取り出し側に移動補助手段が設けられたウインチを示す概略説明図であり、図７は押圧移動体の両側のテンションが外側に設けられ、且つ押圧移動体の取り込み側／取り出し側に移動補助手段が設けられたウインチを示す概略説明図であり、図８は押圧移動体の両側に設けられたテンションが着脱自在で、且つ押圧移動体の取り込み側／取り出し側に移動補助手段が設けられたウインチを示す概略説明図である。【００４１】図９乃至図１４は移動補助手段の他実施例を示し、図９は揺動運動をする移動補助手段を示す概略説明図であり、図１０はウインチ本体に設けられ巻回ドラムの一部を移動補助する移動補助手段を示す概略説明図であり、図１１は複数の移動ローラーで構成された移動補助手段を示す概略説明図であり、図１２は巻回ドラムの外周に設けられた押圧ガイドと一部に設けられた移動補助手段を示す概略説明図であり、図１２−Ａは押圧ガイドを３点で押圧移動する移動補助手段を示す概略説明図であり、図１２−Ｂは移動補助手段が押圧移動体の内側に設けられている場合を示す概略説明図であり、図１３は移動補助手段としてのストッパーを示す概略説明図であり、図１４は押圧移動体に連結した移動補助手段を示す概略説明図である。【００４２】図１５又は図１６はキャプスタンを使用する場合を示し、図１５はキャプスタンを使用する場合を示す概略説明図であり、図１６は図１５のキャプスタンを示す概略説明断面図である。【００４３】図１７乃至図１９は従来のウインチと本発明のウインチとの連結を示し、図１７は駆動軸に設けられた巻取ウインチを示す概略説明図であり、図１８は駆動軸が角軸の場合のウインチ機構を示す概略説明図であり、図１９は従来のウインチの使用された装置に本発明のウインチを連結した場合を示す概略説明図である。【００４４】図２０乃至図２４は本発明のウインチを用いたワイヤロープ等の紐状体の巻き取り方法を示し、図２０はウインチと巻取用リールとの連結を示す概略説明図であり、図２１は図２０に使用するウインチにおけるワイヤロープ等の紐状体の取り出し方向を示す概略説明図であり、図２２は図２０に使用する巻取用リールにおけるワイヤロープ等の紐状体の巻き取り方向を示す概略説明図であり、図２３はウインチと巻取用リールとの連結を示す概略説明左側面図であり、図２４は図２３の概略説明正面図である。【００４５】本発明のウインチ１を図１及び図１４に沿って説明する。
本発明のウインチ１はウインチ本体１Ａに設けられ、回転駆動（手動電動又はアシスト電源で回転駆動する構成等その駆動手段は目的に応じて自在に選択することができる）する駆動軸１２と、該駆動軸１２に設けられ、外周側面に断面略Ｖ字状の溝２Ａが形成された略円形状の（溝２Ａが１周形成された場合が一般的に使用されるが、紐状体７の取り込み方向と取り出し方向とを相違する場合においては１．５周等形成することも可能である）巻回ドラム２と、一方より該巻回ドラム２へ紐状体７を取り込み、又他方より紐状体７を巻回ドラム２より取り出すのを案内補助するために取り込み側と取り出し側とにそれぞれ別々に並行位置に回転自在に軸支された２個の案内ローラー３と、該案内ローラー３間に設けられ巻回ドラム２側がテーパー状に広がって形成され、案内ドラム３と挟持した状態で紐状体７をルート案内する（紐状体７の種類、使用場所等に応じて筒状、又は半筒状等に形成され、また巻回ドラム２側への近接する距離も紐状体７の種類によって変更、例えば、ワイヤーロープの場合は全体の長さを少し短めに形成し樹脂性のロープの場合は巻回ドラム２側へ近接して形成する）案内ガイド４と、巻回ドラム２への紐状体７の取り込み側／紐状体７の取り出し側にそれぞれ取り付けられた移動補助手段としての移動補助体６とから構成されている。【００４６】本発明において移動補助手段とは、巻回ドラム２の周辺の少なくとも一箇所に設けられ、巻回ドラム２の溝２Ａ側に紐状体７を押圧（移動が付加される場合／付加されない場合がある）する構成をいう。【００４７】上記のように、本発明のウインチ１はウインチ本体１Ａ部分についての特徴を明記したもので、駆動源（特に巻回ドラム２の回転駆動が電動等の場合）については、通常使用されている各種の駆動源を使用する。従って、ブレーキ機構に電磁ブレーキ等を使用、或いはクラッチ機構等の使用について、又は安全性のために補助ブレーキを設けることも、駆動源の分野において公知の技術である。要は、ウインチ１の大きさや使用目的に応じて駆動源を選択することができる。【００４８】前記紐状体７（ワイヤロープ／通常の強化ロープ／外周にビニールの設けられた線状体等）は、前記案内ガイド４の一方から案内ガイド４に沿って巻回ドラム２側に取り込まれ（取り込み側）、巻回ドラム２を回転駆動により溝２Ａに沿って設けられ、回転駆動に沿って移動し、再度案内ガイド４に沿って他方から取り出される（取り出し側）こととなる。【００４９】前記移動補助体６は、平面板状又は立体状の円形又は楕円形状（大きさは紐状体７の種類や巻回ドラム２の大きさによって決定される）に形成されウインチ本体１Ａの側面１Ｂ（又は別体としてのレール）に形成されたスライド溝１Ｃ（移動幅揺動幅を補助、修正、調整する）に沿って回転（円形の場合はレール等の側面１Ｂに沿って回転又は移動しながらの回転し、楕円形の場合はレール等の側面１Ｂに沿って揺動しながら回転又は揺動しながら移動し）しながら移動するように構成されている。この場合、移動補助体６の中心部に楕円形の溝６Ａを形成し、ウインチ本体１Ａに設けられた固定軸６Ｂに沿って回転／揺動移動するように構成することもできる（図２及び図９参照）。【００５０】従って、紐状体７のウインチ１への取り込み側は、移動補助体６が紐状体７の移動方向（巻回ドラム２に近接する方向）に沿って回転／揺動しながらスライド溝１Ｂを移動して該紐状体７を巻回ドラム２の溝２Ａ側に断続的に押圧することを繰り返すこととなり、紐状体７は巻回ドラム２の溝２Ａにスムーズに取り込まれる。そして、巻回ドラム２に回転に沿って移動した後、紐状体７の取り出し側では、移動補助体６が紐状体７の移動方向（巻回ドラム２に離反する方向）に沿って回転／揺動しながら上記取り入れ側とは逆方向（巻回ドラム２より離反する方向）にスライド溝１Ｂを移動して紐状体７より離反してフリーの位置に移動することとなり、紐状体７は巻回ドラム２の溝２Ａ側に押圧されることなくスムーズに取り出されることとなる（図２乃至図４参照）。【００５１】上記移動補助体６は、巻回ドラム２の駆動軸１２の正／逆回転駆動により紐状体７の取り出し側と取り込み側が入れ代わると、その回転駆動に対応して移動方向を上記と逆方向に変更するために、巻回ドラム２に対して紐状体７をどちら方向へも自在に移動することができる。【００５２】尚、上記説明においては移動補助体６の移動を助けるために、ウインチ本体１Ａの側面１Ｂにスライド溝１Ｃを設けたが、上記のようなスライド溝１Ｃの構成は必須の構成要件ではない。例えば、移動補助体６の形状を変更することでスライド溝１Ｃのない場合であっても上記と同様の効果を得ることができる。実験上好ましい移動補助体６の形状は、水滴状（立体性を持った構成）の形状に形成することで、ウインチ本体１Ａの側面１Ｂを利用して揺動しながら移動するように構成することが最適に作用した。【００５３】上記のように移動補助体６を設けることで、紐状体７の巻回ドラム２への取り込み側を押圧でき、また取り出し側の押圧を解除してフリーにできるので、従来のウインチに比し、紐状体７の取り込み側及び取り出し側に設けられている案内ローラー３間（従来がＣ１の距離（従来はこの距離はできるだけ狭くすることで巻回ドラム２の回転を適切に伝える必要があった。）であったのをＣ２に広げることができる。図５参照）を広げることができ、巻回ドラム２間での移動時において紐状体７に大きな疲労性屈曲を与えない。このため、紐状体７の磨耗が極力少なく（従来のウインチにおいては、案内ローラー３間を狭めることで取り込み側及び取り出し側の紐状体７に係る荷重によるテンションの相違等を解消し、巻回ドラム２の回転駆動をスムーズに伝えようと構成しているために、案内ローラー３部分で紐状体７に大きな疲労性の屈曲を与えることとなり、この部分での紐状体７の磨耗が激しいこととなる。）なり、紐状体７の頻繁な紐状体７の取り替えや補修等の基本部分でのメンテナンス作業を、極力省くことができる。【００５４】また、従来は紐状体７に大きな疲労性屈曲を与えるために、取り出された紐状体７に屈折した癖が残ることが多く、その後紐状体７の移動が適切に行えないことが多かったが、本発明においては、紐状体７に屈折した癖が残らないために、その後の移動及び収納等がスムーズに行えることとなる。【００５５】また、紐状体７を移動する場合は、紐状体７に係る荷重により又は紐状体７の性質（ワイヤロープの場合は複数本の細いワイヤが幾重にも巻き付けられているために直線状に戻ろうとする性質等）により若干の自転しながら移動する。従って、従来のウインチでは巻回ドラムの溝部分に紐状体７が押さえつけられ紐状体７の自転等が抑えられ磨耗の原因となるが、本発明のウインチ１の場合は、移動補助体６が回転／揺動しながら移動するために、紐状体７の自転を無理に押さえつけるようなことがなく移動を補助することとなり、紐状体７はスムーズに移動することとなる。従って、従来の場合に比し紐状体７の磨耗の原因を極力排除することが可能となる。【００５６】次に、本発明のウインチ１は上記のように構成され、次のその作用について説明する。【００５７】先ず、ワイヤロープ又は強度のある樹脂性ロープ等からなる紐状体７の先端側を一方の案内ガイド４に沿ってウインチ本体に取り込むと、紐状体７は案内ガイド４と案内ローラー３とによって挟持された状態で巻回ドラム２側に容易に移動し、巻回ドラム２の駆動軸１２を回転駆動することによりその先端側より自動的に案内ガイド４に取り込まれ、該巻回ドラム２の外周面の溝２Ａに沿って移動し、再度案内ガイド４側に取り出し移動して他方の案内ガイド４に沿って取り出される。【００５８】この際、案内ローラー３間が従来のウインチに比し広げられているために、紐状体７の案内ローラー３部分での疲労性の屈曲が極力小さくなり、紐状体７の取り込み移動及び取り出し移動がスムーズに行える。しかもウインチ１より取り出された紐状体７は、その種類（特にワイヤーロープ）により従来のウインチを使用する場合のような屈曲した癖が残ることがないためにその後の紐状体７の移動が容易に行える。【００５９】また、巻回ドラム２側の紐状体７の取り込み側と取り出し側に設けられた移動補助体６は、取り込み側では移動補助体６がスライド溝１Ｃに沿って回転（円形の場合）／揺動（楕円形の場合）しながら巻回ドラム２側に移動（楕円溝６Ａと固定軸６Ｂの場合は、楕円溝６Ａの距離のみ移動）し、紐状体７を巻回ドラム２側に押圧する。また、取り出し側では移動補助体６がスライド溝１Ｃに沿って回転／揺動しながら巻回ドラム２より離反する方向に移動し、紐状体７の巻回ドラム２側への押圧が解除される。従って、紐状体７の取り入れ側では紐状体７を外周面の溝２Ａに沿って容易に取り入れることができ、紐状体７の取り出し側は紐状体７への押圧が解除された状態で溝２Ａより容易に取り出されることとなる。【００６０】このため、紐状体７に弛み／撓み等があっても紐状体７の取り込み側は巻回ドラム２の溝２Ａ側に押圧されているために、弛み／撓み等を解消しながら確実に紐状体７を取り込みすることができ、また、取り出し側は紐状体７の弛み／撓み等が解消された状態で取り出しすることができる。【００６１】さらに、移動補助体６がスライド溝１Ｃに沿って回転／揺動するために、紐状体７のウインチ１への取り込み側では紐状体７の回転を適切に補助して巻回ドラム２の溝２Ａに取り込み移動し、また、取り出し側では紐状体７への押圧による回転／揺動がフリーとなるために、紐状体７を適度に回転しながらスムーズに取り出し移動することができる。このように、適切な紐状体７への押圧により、巻回ドラム２の溝２Ａ部分での磨耗の原因を従来のウインチの溝に取り込む場合に比し、極力排除することができる。【００６２】また、上記実施例では、移動補助体６は紐状体７の巻回ドラム２への取り込み側を押圧したが、本発明において移動補助体６の作用はこれに限定されるものでなく、例えば、紐状体７の取り出し側を押圧することで、同様の効果を得ることも可能である。【００６３】次に、本発明のウィンチ１の他実施例を図６に沿って説明する。【００６４】このウインチ１は図１の構成を基本構成とし、相違する構成は、巻回ドラム２の外周面の溝２Ａに沿って紐状体７が巻回されている部分にローラーチェーン（他に連結した球体、板状バネ、締結体等で構成された）で構成された押圧移動体８が設けられ、該押圧移動体８の両端側で案内ローラー３の近傍には使用目的に応じてバネ等の弾性体、又は重り体からなる弾性体５が設けられている点である。【００６５】本発明において押圧移動体８とは、紐状体７が巻回ドラム２の外周面の溝２Ａに沿って設けられている部分全体に巻回され、巻回ドラム２の移動方向に移動しながら紐状体７が溝２Ａより突出するのを防止するように押圧するものとする。【００６６】前記押圧移動体８は巻回ドラム２の外周面の溝２Ａに沿って巻回された紐状体７を軸芯方向に押圧しながら移動することで紐状体７の溝２Ａよりの離脱を防止するとともに、該溝２Ａに沿っての紐状体７の移動に沿って全体を移動しながら押圧する。【００６７】次に移動補助体６は、押圧移動体８の両端側に設けられ、紐状体７の取り込み側では押圧移動体８をその外側より巻回ドラム２側へ押圧しながら押圧移動体８の移動に伴ってウインチ１側面に沿って所定量移動し、紐状体７の取り出し側では押圧移動体への押圧を解除する方向（取り込み側と逆の方向）押圧移動体８の外側で巻回ドラム２より離反する方向へ移動する。【００６８】このため、押圧移動体８のないウインチ１に比し紐状体７を巻回ドラム２側にさらに強く押圧移動することができ、案内ローラー３間を巻回ドラム２の取り込み側と取り出し側とに対して平行となる距離、又はそれ以上に広げることが可能であり紐状体７の疲労性の磨耗をさらに解消することができる。【００６９】前記弾性体５は、それぞれ一端側をウインチ本体１Ａに固定し他端側を押圧移動体８と連結することにより、押圧移動体８は常に両端側に弾性が負荷された状態となり、巻回ドラム２の駆動軸１２の正／逆回転駆動時にその回転方向に対応する方向に移動しながら巻回ドラム２の溝２Ａ側に紐状体７を押圧移動する。【００７０】尚、上記実施例においては弾性体５は押圧移動体８の両端側に設けた例で説明したが、本発明において押圧移動体８の構成はこれに限定されるものでなく、例えば、弾性体５を押圧移動体８の一方のみに設け、他方はウインチ本体１Ａに固定して構成することで、押圧移動体８の押圧力、及び移動量を一方向に限定した方式とすることも可能であり、この場合は巻回ドラム２の回転方向を一方向に限定する必要がある。また、押圧移動体８を複数に分割して一方を固定し他方に弾性体５を設けることも可能である（例えば押圧移動体８を巻回ドラム２の外周頂点で２分割し、分割部分をそれぞれウインチ本体に固定し、他端側に弾性体５を設けることで、紐状体７の取り込み側及び取り出し側で押圧力及び移動量が調整されるように構成することも可能であり、この場合は分割部分に別体の押圧板体を設け、分割部分での紐状体７の磨耗を極力防ぐように構成する。また、押圧移動体８の両端側に弾性体５を設けることなく、両端側をウインチ本体に固定することで、押圧移動体８の巻回ドラム２に沿っての移動を阻止し、溝２Ａ側への押圧力のみに制限することも可能であり、いずれの場合であっても、本発明においては、移動補助体６がその外側に設けられているために押圧移動体８のみで紐状体７を押圧移動する必要がない。従って、ウインチ１の使用目的に応じて最適な押圧移動体８の構成を選択することができる。【００７１】また、弾性体５も、上記実施例に限定されるものでなく、例えば、押圧移動体８の両端側にワイヤロープ等の連結紐状体７Ａを介してウインチ本体の外部に弾性体５を設け、弾性体５の着脱や弾性力の負荷の変更等を自在に行えるように構成することで、紐状体７への荷重又は紐状体７の種類、又は紐状体７の径に応じて負荷等を自在に変更して対応することができる。【００７２】また、弾性体５に限定することなく、押圧移動体の両端側に連結紐状体７Ａを介して錘体を連結することで、その構成、取り付け方法及び変更を簡易に且つスムーズに行うようにすることも可能である。また、連結紐状体７Ａの中間にクラッチ機構等の弾性力の切替機構５Ａを取り付けることで弾性力による押圧移動体８の負荷の解除を行うようにする構成も可能であり、また、クラッチ機構を切り換えことで、押圧移動体８の負荷を解除した状態で紐状体７の途中部分を巻回ドラム２に取り付けることも可能である。【００７３】さらに、前記弾性力による負荷の解除を利用すれば、例えば、押圧移動体８の弾性力による負荷を解除した状態で、使用頻度が高いために先端がほぐれたワイヤロープ（又はほぐれやすい樹脂性ロープ）を巻回ドラム２へ取り入れると先端部分が途中で押圧移動体８に引っ掛かることなく容易に巻回ドラム２の溝２Ａに沿って移動することが可能であり、巻回ドラム２にワイヤロープを巻回した後に弾性力による負荷を与えてワイヤロープを適切に移動することができる（図８、図９参照）。【００７４】また、押圧移動体８への弾性力の負荷は上記構成に限定されるものでなく、例えば、押圧移動体８そのものを弾性体で構成（例えは、ローラーチェーンの場合は各ローラー間をバネで連結する。または全体をリング状のバネで構成する）することで上記と同様の作用効果を得ることも可能である。【００７５】前記巻回ドラム２の外周側面に巻回された押圧移動体８は、巻回ドラム２を回転駆動することにより紐状体７の取り込み側では巻回ドラム２の溝２Ａに沿って所望の力で押圧移動し、紐状体７の取り出し側では押圧力が解除された状態となり、このため紐状体７を取り込み側より取り出し側に弛みなくスムーズに移動することができる。【００７６】このように押圧移動体８は、両端側の弾性体５により、取り込み側が巻回ドラム２の回転に沿って巻回ドラム２側へ引っ張られた状態で移動し、取り出し側が巻回ドラム２より離反して押圧しない方向に引っ張った状態となるように移動（移動しながら押圧）する。【００７７】次に、上記押圧移動体８による紐状体７への押圧位置をさらに移動補助体６により補助して押圧移動（紐状体７の巻回ドラム２への取り入れ側では押圧移動体８の押圧及び移動を補助するように連動して押圧移動し、巻回ドラム２より取り出し側では、同様に押圧が解除されるように離反移動する）することで、さらに的確に紐状体７を間接的に押圧移動することができ、巻回ドラム２の回転を無駄なく確実に紐状体７に伝達することができる。【００７８】尚、上記押圧移動体８がない場合のウインチ１において、移動補助体６を設ける位置は、巻回ドラム２への紐状体７の取り込み側／紐状体７の取り出し側にそれぞれ設けたが、本発明において移動補助体６を設ける位置はこれに限定されるものでなく、例えは巻回ドラム２の周囲に複数個設ける（巻回ドラム２の外周に沿って一定の枠３６（両端側にストッパーの設けられた）を複数個設け、該枠３６内にローラー３５を設けることで、枠３６に沿って所望の距離ローラー３５を移動するように構成する）ことも可能であり（図１１参照）、また、巻回ドラム２の半周部分（この場合ウインチ１のケースに直接（ローラー３５又は板バネ等を取り付けて））設けることも可能であり（図１０参照）、又は巻回ドラム２の取り込み側／取り出し側にガイド体３７を設け、天頂部に枠内にローラーで構成された移動補助体６を設けるように構成することも可能であり（図１２参照）、また巻回ドラム２の紐状体７の取り込み側と取り出し側と天頂部との３か所に移動補助体６（６ａ、６ｂ、６ｃ）を設けることで紐状体７をより巻回ドラム２の溝２Ａ側に押圧することも可能である（図１２−Ａ参照）【００７９】又、上記押圧移動体８があるウインチ１において、移動補助手段は上記移動補助体６に限定されるものでなく、例えば、押圧移動体８の一端側の内側に移動補助体６を密接して設けることで、紐状体７の取り込み側では押圧移動体８で移動補助体６を巻回ドラム２側に押圧しながら紐状体７の直接的な取り込み移動ができ、押圧移動体８のみの場合、又は実施例のように移動補助体６を押圧移動体８の一端側の外側に設けた場合に比し、格段に強く巻回ドラム２側に押圧することが可能となる（図１２−Ｂ参照）。
また、他の手段として、例えば、移動補助手段を、弾性体５と巻回ドラム２との近傍に弾性体５が巻回ドラム２側へ伸延移動した位置でその移動を阻止するための立設した板状のストッパー機能を有するように構成された移動補助体６とすることで（図１３参照）、押圧移動体８の移動を阻止して押圧移動体８の移動量及び押圧力を調整することも可能である。
また、例えば、移動補助手段を弾性体５の一端例を支軸状に形成した移動補助体６として前記案内ドラム３に連結するとともに、該案内ドラム３に、クラッチ機構を介してどららか一方向にのみ回転可能な逆ストッパー（図示せず）を設けるように構成することで（図１４参照）、押圧移動体８の移動量及び押圧力を一定位置で阻止するようにすることも可能である。この場合において、紐状体７を一方向に移動すると案内ドラム３は一方向に回転可能であるために、弾性体５を引っ張った状態で押圧移動体８を同方向に押圧移動させることができる。【００８０】即ち、ウインチ１の使用状況、使用方法、移動する紐状体７の種類や径の大きさ、紐状体７にかかる荷重等により移動補助体６の形状、構成及び取り付け位置を適宜変更することができる。【００８１】また、巻回ドラム２の溝２ａの形状についても、略Ｖ字状に限定されるものでなく略Ｃ字状や略Ｕ字状、略Ｏ字状、２段階の幅のある溝等自在な形状に対応することができ、押圧移動体８がある場合又は押圧移動体８がない場合であっても巻回ドラム２の回転駆動を無駄なく、確実に紐状体７に伝えることができる。【００８２】次に、本発明のウインチ１にキャプスタン１９を取り付ける場合（図１５及び図１６参照）について説明する。【００８３】従来のネット／シートの移動システムで紐状体７の巻き取り移動にキャプスタン１９を使用している場合は、ウインチ１の巻回ドラム２の外周側面にキャプスタン１９を直接取り付け（又はキャプスタン１９状に形成する）、該キャプスタン１９の外周には紐状体７を複数回巻回し、その両端側をウインチ１より取り出す。【００８４】この際、キャプスタン１９の外周には幅広の押圧移動体８及び移動補助体６を設けることにより、キャプスタン１９に巻回された紐状体７を押圧移動体８で押圧してキャプスタン１９よりの突出を抑えるとともに、紐状体７のキャプスタン１９への取り込み側を移動補助体６で押圧することにより、スムーズな紐状体７の移動を行うことができる。又は移動補助体６のみを設け紐状体７のキャプスタン１９への取り込み側を押圧することにより、スムーズな紐状体７の移動を行うことができる。【００８５】また、他の従来ウインチ３０とキャプスタン１９の設けられたウインチ１を連接して使用することも可能である。【００８６】次に、本発明のウインチ１を用いて、従来のウインチ３０の駆動軸３１に直接連結する方法（システム）（図１７乃及び図１９参照）について説明する。【００８７】上記のように移動補助体６及び押圧移動体８が設けられたウインチ１の巻回ドラム２の駆動軸１２部分にウインチ３０の駆動軸３１を挿入して取り付けることで、ウインチ３０の回転駆動を直接巻回ドラム２に伝動する。
この際、駆動軸３１の断面が矩形状（図面は四角状であるが、多角形状であってもよい）に形成されている場合は巻回ドラム２の駆動軸１２部分の形状を同一に形成することにより、容易に取り付けることも可能である。この場合も、上記各実施例の場合と同様に、少なくとも移動補助体６で紐状体７の巻回ドラム２への取り込み側を押圧することで、紐状体７のテンションが不十分の場合であっても、スムーズに紐状体７の移動を行うことができる。【００８８】また、ウインチ３０の駆動軸３１にプーリー（または歯車）を取り付け、駆動軸３１の回転ベルトを介して連結することも可能である。【００８９】次に、本発明のウインチ１を用いて、従来のウインチを利用（アシスト）する方法（システム）について説明する。【００９０】先ず、ウインチ１の回転軸１２に巻回ドラム２とは別のプーリー（図示せず）を取り付け、該プーリーと従来のウインチ３０（巻取ウインチ又は無端状ウインチでも可能）の駆動軸３１に取り付けたプーリ（または歯車）とをベルトを介して連結することで、ウインチ３０の駆動力を利用してウインチ１の回転軸１２を回転する。【００９１】これにより、ウインチ１で従来の紐状体７の移動を行なうことで、従来のウインチ３０をそのまま利用して設置することが可能となる。この際も、上記と同様に、紐状体７の巻回ドラム２への取り入れ側では、押圧移動体８により巻回ドラム２の溝２Ａに押圧された状態で巻回ドラム２の回転で溝２Ａに沿って取り出し側に移動するとともに、押圧移動体８の取り込み側の端部、又はその近傍を移動補助体６により的確に押圧されて移動するために、紐状体７は弛みを解消した状態で取り込まれる。また、紐状体７の巻回ドラム２よりの取り出し側では、押圧移動体８及び移動補助体６による押圧が解除されるために、紐状体７は巻回ドラム２の溝２Ａよりスムーズに取り出しすることができる。【００９２】また、上記ウインチ１の場合は従来の設置されているウインチ３０の駆動力を利用することで、設備をそのまま利用したが、従来の設置されているウインチ３０の回転軸３１の駆動源を逆に本発明のウインチ１の駆動軸２Ａに連結して駆動源の再利用を図ることも可能である。【００９３】尚、前記従来のウインチ３０の回転軸３１へのプーリーの取り付け方法（システム）は、従来の設置されているウインチ３０の回転軸３１の外側、又は回転軸３１の中途部に設けることもできる。回転軸３１の外側に取り付けた場合は回転軸３１を利用した紐状体７の巻き取りを可能とし、また、中途部に取り付けた場合は、無端状の紐状体７の移動用として利用することができる利点がある。【００９４】また、他の使用方法としては、巻回ドラム２の分割を回転軸で上下に２分割することで、従来より設置されているウインチの駆動軸（回転軸）に直接移動補助体６、押圧移動体８の設けられた巻回ドラム２を取り付けることができ、従来の装置を無駄にすることなく、また取り付けの作業工程を簡略化して取り付けできる。また、巻回ドラム２と駆動軸１２との着脱を自在に行うことが可能となり、径の相違する他の巻回ドラム２と取り替えることも可能である。【００９５】また、紐状体７にテンンョンによる負荷がかかっていない場合や、テンションによる負荷が大きく変動する場合に発生する紐状体７の巻き取り式ドラム（図示せず）への取り入れ側に弛みがあっても、上記押圧移動体８、移動補助体６の働きにより（又は移動補助体６の働きにより）紐状体７の弛みを解消してスムーズに紐状体７を巻き取り移動することができる。【００９６】この場合において、押圧移動体８を幅広に形成することで巻き取り式ドラム（図示せず）の外周側面全体を押圧移動したが、押圧移動体８を複数に分割して形成し巻き取り式ドラム（図示せず）の外周側面全体に位置させることも可能であり、また２本（複数本）の押圧移動体８を設けることも可能である。この場合において、巻き取り式ドラム（図示せず）への取り込み側の紐状体７と取り出し側の紐状体７とを押圧移動することでスムーズな紐状体７の移動を可能とする。押圧移動体８は、それぞれの巻き取り式ドラム（図示せず）の外周に別々に取り付けたが、端部でのテンション手段５を共存することで一本の押圧移動体８として構成することも可能である。【００９７】次に、本発明のウインチ１に取込出手段としての一例の巻取用リール１１を、取り付けて使用する場合の方法（図２０乃至図２２参照）について説明する。【００９８】先ず、本発明のウインチ１を各種の目的で使用されている紐状体７の中途部に設置して目的物の設けられた一方より他方への移動を行い、その後、紐状体７の他方側に巻取用リール１１を設置する。この際、ウインチ１の設置位置と巻取用リール１１の設置とは近接した位置であっても離反した位置であっても、またその方向が上下方向であっても、左右方向であっても設置可能である。
即ち、本発明のウインチ１の巻回ドラム２には移動補助体６が設けられているために、一方より他方へ移動する紐状体７は紐状体７の取り込み側で移動補助体６で的確に押圧され、紐状体７の取り出し側では移動補助体６による押圧が解除されているために、紐状体７の弛み／撓みを気にすることなく移動することができる。また移動補助体６により、紐状体７の取り込みの方向と取り出し方向とを自在に変更することができる。【００９９】また、上記構成により巻取用リール１１の取り付け位置／方向は最も取扱いの適する位置（例えは、ウインチ１は地上より高い位置に設置し、巻取用リール１１は地面側に設置等）に設置することができる。即ち、巻取用リール１１をウインチ１と離反した位置に取り付ける場合、又はウインチ１の上方／下方に取り付けることができるので、危険な場所でウインチ１を取り扱う場合であっても、ウインチ１の設置位置と離反した安全な位置に巻取用リール１１を取り付けて容易に紐状体７を一方より他方へ移動することができ、また、屋内施設で使用する場合においても、ウインチ１を天井側の高い位置に取り付け、巻取用リール１１を床側の低い位置に取り付けることができ、安全性及びメンテナンス作業を行う場合において作業の容易性を追求することができる。【０１００】また、ウインチ１と巻取用リール１１とをそれぞれ基台（各図示せず）に回転可能に取り付けることで、紐状体７の移動方向を自在に微調整することができ、例えば、気象用の気球の昇降や、危険な箇所での航空観測用としての気球の昇降の場合であっても、風の影響等を受けた場合に紐状体７の移動方向の変更か生じても、ウインチ１と巻取用リール１１とが回転し簡易に紐状体７の巻き取り／引き出しを可能とする。しかも、紐状体７の巻き取り／引き出し時に紐状体７に弛み／撓みがあっても、移動補助体６又は／及び押圧移動体８が巻回ドラム２に設けられているために、どのような張力がかかっても紐状体７をスムーズに移動することができ、また、紐状体７を適切に巻き取り／引き出しすることができる。【０１０１】特に、屋内施設で使用する場合においては、ウインチ１と巻取用リール１１との設置場所を自在に変更可能であるために、天井側に設けられたネットの取り付けられた紐状体７としてのウインチワイヤーを天井側に設置したウインチ１と床側に設置した巻取用リール１１とで移動するように構成して、トラブルの多発する巻取用リール１１のメンテナンス作業を安全にかつ容易に行うことができる。従って、使用目的に応じて自在なネットの吊り張り、間仕切り方法が可能となる。【０１０２】また、本発明のウインチ１に巻取用リール１１を取り付けて使用する他の実施例（図２３及び図２４参照）について説明する。【０１０３】先ず、本発明のウインチ１の巻回ドラム２を回転駆動する駆動軸１２（駆動軸１２に設けられたプーリー）と巻取用リール１１（紐状体７を巻き取る目的のリング）の回転軸１３（回転軸１３に設けられたプーリー）とをベルト１４を介して連結する。前記巻取用リール１１は、支持体１５でウインチ１の後方上部側に上下動自在に位置させる。【０１０４】この状態で、ウインチ１の駆動軸１２を駆動すると巻回ドラム２が回転し、該巻回ドラム２に巻回された紐状体７を一方側より取り込み他方側へ取り出し、その後、駆動軸１２に同期して回転している回転軸１３に設けられた巻取用リール１１でウインチ１より取り出された紐状体７を巻き取る。【０１０５】この際、巻回ドラム２による紐状体７の移動量と、巻取用リール１１の巻き取り量が相違すると、支持体１５で支持された巻取用リール１１を上下動（巻回ドラム２による紐状体７の移動量が巻取用リール１１の巻き取り量より多い場合は、巻取用リール１１を上方に移動してその量を調整し、巻回ドラム２による紐状体７の移動量が巻取用リール１１の巻き取り量より少ない場合は、巻取用リール１１を下方に移動してその量を調整する）させながらその相違量を調整して巻回ドラム２による移動量を巻取用リール１１に確実に巻き取りする。【０１０６】前記巻回ドラム２で紐状体７を移動する場合は、巻回ドラム２の回転駆動で押圧移動体８を巻回ドラム２の外周に沿って移動するとともに、押圧移動体８の取り込み側を移動補助体６で的確に押圧して、紐状体７を巻回ドラム２の溝２Ａに弛みなく取り込み、その後、紐状体７の取り出し側で押圧移動体８の押圧及び移動補助体６の押圧をそれぞれ解除して紐状体７をスムーズに取り出すことができ、紐状体７は、巻回ドラム２の回転駆動時に空回りすることなく移動する。【０１０７】このように、巻回ドラム２の駆動軸１２の駆動力を利用して巻取用リール１１の回転軸１３を同期して回転しているためにそれぞれ別の駆動軸で回転する場合に比し、巻回ドラム２による紐状体７の移動量と巻取用リール１１の巻き取り量との調整が容易である。しかもその構成が簡易であるためにコストを軽減することができる。【０１０８】尚、上記システムにおいてはウインチ１の駆動軸１２と巻取用リール１１の回転軸１３とをベルト１４を介して連結したが、駆動伝達手段はこの方式に限定されるものでなく、例えば複数の歯車を介して伝達することも可能であり、また、駆動軸１２を長尺状に形成することにより、延長した駆動軸１２に直接巻取用リール１１を取り付けることで、上記実施例の場合と同様の効果を得ることも可能である。さらに、スプリング方式の巻取用リール１１を使用することで同様の効果を得ることも可能である。【０１０９】又、上記実施例は、取込出手段として巻取用リール１１を使用したが、本発明において取込出手段は巻取用リール１１に限定されるものでなく、例えば、紐状体７の種類によっても収納用の箱状のものに収納するだけでもよく、また他の手段でも可能である。【０１１０】また、上記ウインチ１の巻回ドラム２に巻回した紐状体７は、巻回ドラム２の溝２Ａが一重の場合は案内ローラー３の取り付け位置を変更又は個数を増加することで紐状体７の取り入れ方向と取り出し方向とを自在に設置することができ、また、巻回ドラム２の溝２Ａを連続状に形成することで、紐状体７の取り入れ方向と取り出し方向とを変更することも可能である。【０１１１】尚、本発明のウインチ１の移動補助体６、押圧移動体８、案内ローラー３、及び案内ガイド４をそれぞれ別体として製造することで、上記と同様の各システムに使用する従来のウインチ３０の巻回ドラムに、上記各押圧移動体８案内ドラム３、及び案内ガイド４を容易に取り付けて、本発明のウインチ１と同様の作用及び効果を得るように使用することも可能である。【０１１２】上記ウインチ１の取り付けは、紐状体７を無端状に移動したが、例えば、巻き取り式の巻取用リール１１を使用して紐状体７を移動するように構成することも可能である。この場合は、従来のウインチ３０の回転駆動を本発明のウインチ１の回転軸１２にベルト１４を介して連結し、ウインチ１の下端側近傍に巻取用リール１１を設け、回転軸１２と巻取用リール１１の回転軸１３とをベルト１４Ａを介して連結することで、ネット／シート１８に連結された紐状体７をウインチ３０の駆動を利用して本発明のウインチ１を回転するとともに、巻取用リール１１を回転して紐状体７を移動することで、移動した紐状体７を巻取用リール１１で確実に巻き取るように構成することも可能である。【０１１３】上記の各実施例に示されたように、本発明のウインチ１は移動補助体６を利用してより確実な紐状体７の移動を可能とするとともに、紐状体７の巻き取り用として各種システムに利用することができる。【０１１４】また、従来のウインチ３０が使用されている施設において、従来のウインチ３０に本発明のウインチ１を連結してウインチ機能をアシストすることができ、その用途を格段に向上することができる。【０１１５】本発明のウインチ及び該ウインチを利用した各システムの、大きな利点は、テンションのかかっていない状態でも紐状体７を確実に移動することができるのでメンテナンスを含め作業効率を向上することができる。【０１１６】また、紐状体７の種類に応じて、案内ローラー３，３間を自在に調整することができるので、例えば、紐状体７がワイヤロープの場合は案内ローラー３，３間を離間して広げることで、ワイヤロープを大きく曲げることなく巻回ドラム２で移動することができ、疲労性の磨耗を極力少なく抑えることができワイヤロープの取り替えが少なく抑えることができる等、ウインチ使用時の最大の問題点を解消することができる。【０１１７】また、紐状体７を巻回ドラム２で一方向より他方向へ移動しても紐状体７に屈曲等の癖が残存しないために、その後の巻き取り／収納を容易に行うことができる。【０１１８】さらに、移動補助体６により取り入れ側の紐状体７が巻回ドラム２側に押圧されているために、紐状体７は確実に巻回ドラム２により巻回移動することができる。また、紐状体７の種類に応じて、移動補助体６の形状、移動距離移動方法等を自在に設定することができる。【０１１９】また、移動補助体６は紐状体７の巻回ドラム２への取り込み側では従来より使用の案内ローラーの作用も兼任することなるために、巻回ドラム２への紐状体７の取り込み側と取り出し側との幅を巻回ドラム２の直径に近づく位置まで広げることができ、従来のように紐状体７にテンションを掛けるべく取り込み側と取り出し側との幅をできるだけ狭める必要がないために、紐状体７の移動及び巻回ドラム２の回転駆動をスムーズに行うことができることとなる。
【図面の簡単な説明】
【０１２０】
【図１】本発明の移動補助手段の設けられた１実施例のウインチを示す概略説明図。
【図２】図２は紐状体の取り込み側の巻回ドラムと移動補助手段との関連を示す概略一部断面説明図。
【図３】巻回ドラムと移動補助手段と紐状体との、位置関係を示す概略断面説明図。
【図４】紐状体の取り出し側の巻回ドラムと移動補助手段との関連を示す概略一部断面説明図。
【図５】紐状体の取り込み／取り出しに関し、従来のウインチとの対比を示す概略説明図。
【図６】押圧移動体の両側にテンションが設けられ、且つ押圧移動体の取り込み側／取り出し側に移動補助手段が設けられたウインチを示す概略説明図。
【図７】押圧移動体の両側のテンンョンが外側に設けられ、且つ押圧移動体の取り込み側／取り出し側に移動補助手段が設けられたウインチを示す概略説明図。
【図８】押圧移動体の両側に設けられたテンションが着脱自在で、且つ押圧移動体の取り込み側／取り出し側に移動補助手段が設けられたウインチを示す概略説明図。
【図９】揺動運動をする移動補助手段を示す概略説明図。
【図１０】ウインチ本体に設けられ巻回ドラムの一部を移動補助する移動補助手段を示す概略説明図。
【図１１】複数の移動ローラーで構成された移動補助手段を示す概略説明図。
【図１２】巻回ドラムの外周に設けられた押圧ガイドと一部に設けられた移動補助手段を示す概略説明図。
【図１２−Ａ】押圧ガイドを３点で押圧移動する移動補助手段を示す概略説明図
【図１２−Ｂ】押圧移動体の内側に移動補助手段を設けた場合を示す概略説明図
【図１３】移動補助手段としてのストッパーを示す概略説明図。
【図１４】押圧移動体に連結した移動補助手段を示す概略説明図。
【図１５】キャプスタンを使用する場合を示す概略説明図。
【図１６】図１５のキャプスタンを示す概略説明断面図。
【図１７】駆動軸に設けられた巻取ウインチを示す概略説明図。
【図１８】駆動軸が角軸の場合のウインチ機構を示す概略説明図。
【図１９】従来のウインチの使用された装置に本発明のウインチを連結した場合を示す概略説明図。
【図２０】ウインチと巻取用リールとの連結を示す概略説明図。
【図２１】図２０に使用するウインチにおけるワイヤロープ等の紐状体の取り出し方向を示す概略説明図。
【図２２】図２０に使用する巻取用リールにおけるワイヤロープ等の紐状体の巻き取り方向を示す概略説明図。
【図２３】ウインチと巻取用リールとの連結を示す概略説明左側面図。
【図２４】図２３の概略説明正面図。
【符号の説明】
【０１２１】１…ウインチ、２…巻回ドラム、２Ａ…溝、３…案内ガイド、５…テンンョン手段、６…移動補助体、７…紐状体、８…押圧移動体、９…ストッパー、１０…支軸、１１…巻取リール、１２…駆動軸、
【図１】
2008100840.tif 000003
【図２】
2008100840.tif 000004
【図３】
2008100840.tif 000005
【図４】
2008100840.tif 000006
【図５】
2008100840.tif 000007
【図６】
2008100840.tif 000008
【図７】
2008100840.tif 000009
【図８】
2008100840.tif 000010
【図９】
2008100840.tif 000011
【図１０】
2008100840.tif 000012
【図１１】
2008100840.tif 000013
【図１２】
2008100840.tif 000014
【図１２−Ａ】
2008100840.tif 000015
【図１２−Ｂ】
2008100840.tif 000016
【図１３】
2008100840.tif 000017
【図１４】
2008100840.tif 000018
【図１５】
2008100840.tif 000019
【図１６】
2008100840.tif 000020
【図１７】
2008100840.tif 000021
【図１８】
2008100840.tif 000022
【図１９】
2008100840.tif 000023
【図２０】
2008100840.tif 000024
【図２１】
2008100840.tif 000025
【図２２】
2008100840.tif 000026
【図２３】
2008100840.tif 000027
【図２４】
2008100840.tif 000028
【手続補正書】
【提出日】平成19年6月29日(2007.6.29)
【手続補正１】
【補正対象書類名】特許請求の範囲
【補正対象項目名】全文
【補正方法】変更
【補正の内容】
【特許請求の範囲】
【請求項１】
ワイヤロープ等の紐状体を巻回するための巻回ドラムと、巻回ドラムを正／逆回転駆動する駆動源とから構成され、一方よりワイヤロープ等の紐状体を取り込むとともに、他方よりワイヤロープ等の紐状体を取り出し移動するウインチにおいて、前記巻回ドラムの外周の少なくとも一部又は近傍には、巻回ドラムの正／逆回転駆動に応じて、ワイヤロープ等の紐状体の巻回ドラムへの取り込み側を巻回ドラム方向に押圧移動しながらその取り込みを補助し、巻回ドラムからの取り出し側の巻回ドラム方向への押圧を解除しながらフリーの位置に移動するための押圧補助手段が設けられていることを特徴とするウインチ。
【請求項２】
一方よりワイヤロープ等の紐状体を取り込むとともに、他方よりワイヤロープ等の紐状体を取り出すように巻回するための巻回ドラムと、巻回ドラムを正／逆回転駆動する駆動源と、該巻回ドラムに巻回したワイヤロープ等の紐状体を巻回ドラム側に押圧すべく巻回ドラムの外周に密接して設けられた長尺状の押圧移動体とから構成されたウインチにおいて、前記押圧移動体の端部の内側又は外側には、巻回ドラムの正／逆回転駆動に応じて、ワイヤロープ等の紐状体の取り込み側を直接又は間接的に巻回ドラム方向に押圧移動しながらその取り込み移動を補助し、巻回ドラムからの取り出し側の巻回ドラム方向への押圧を解除しながらしながらフリーの位置に移動するための移動補助手段が設けられていることを特徴とするウインチ。
【請求項３】
ワイヤロープ等の紐状体を巻回するための巻回ドラムと、巻回ドラムを正／逆回転駆動する駆動源とから構成され、一方よりワイヤロープ等の紐状体を取り込むとともに、他方よりワイヤロープ等の紐状体を取り出し移動するウインチを用いてワイヤロープ等の紐状体を一方より他方に移動した後、該他方に移動したワイヤロープ等の紐状体を巻取リール等の取込出手段で取り込み／取り出しするウインチを用いたワイヤロープ等の紐状体の取り込み／取り出し方法において、巻回ドラムの正／逆回転駆動時のワイヤロープ等の紐状体の各移動方向に応じてワイヤロープ等の紐状体の取り込み側を巻回ドラム方向に押圧移動しながらその取り込み移動を補助し、ワイヤロープ等の紐状体を巻回ドラムより取り出す側の押圧を解除しながらフリーの位置に移動することでワイヤロープ等の紐状体の取り込みと取り出しとの間を広げた状態で所望の方向に移動した後、該移動した量のワイヤロープ等の紐状体を所望の方向に自在に対応して取込出手段で取り込み／取り出しすることを特徴とするウインチを用いたワイヤロープ等の紐状体の取り込み／取り出し方法。
【手続補正２】
【補正対象書類名】明細書
【補正対象項目名】００１７
【補正方法】変更
【補正の内容】
【００１７】本発明は上記課題を解決するためのウインチの第１の手段は、ワイヤロープ等の紐状体を巻回するための巻回ドラムと、巻回ドラムを正／逆回転駆動する駆動源とから構成され、一方よりワイヤロープ等の紐状体を取り込むとともに、他方よりワイヤロープ等の紐状体を取り出し移動するウインチにおいて、前記巻回ドラムの外周の少なくとも一部又は近傍には、巻回ドラムの正／逆回転駆動に応じて、ワイヤロープ等の紐状体の巻回ドラムへの取り込み側を巻回ドラム、方向に押圧移動しながらその取り込みを補助し、巻回ドラムからの取り出し側の巻回ドラム方向への押圧を解除しながらフリーの位置に移動するための押圧補助手段が設けられていることを特徴とする。
【手続補正３】
【補正対象書類名】明細書
【補正対象項目名】００１８
【補正方法】変更
【補正の内容】
【００１８】また、ウインチの第２の手段は、一方よりワイヤロープ等の紐状体を取り込むとともに、他方よりワイヤロープ等の紐状体を取り出すように巻回するための巻回ドラムと、巻回ドラムを正／逆回転駆動する駆動源と、該巻回ドラムに巻回したワイヤロープ等の紐状体を巻回ドラム側に押圧すべく巻回ドラムの外周に密接して設けられた長尺状の押圧移動体とから構成されたウインチにおいて、前記押圧移動体の端部の内側又は外側には、巻回ドラムの正／逆回転駆動に応して、ワイヤロープ等の紐状体の取り込み側を直接又は間接的に巻回ドラム方向に押圧移動しながらその取り込み移動を補助し、巻回ドラムからの取り出し側の巻回ドラム方向への押圧を解除しながらしながらフリーの位置に移動するための移動補助手段が設けられていることを特徴とする。
【手続補正４】
【補正対象書類名】明細書
【補正対象項目名】００１９
【補正方法】変更
【補正の内容】
【００１９】ウインチを用いたワイヤロープ等の紐状体の巻き取り方法に関する手段は、ワイヤロープ等の紐状体を巻回するための巻回ドラムと、巻回ドラムを正／逆回転駆動する駆動源とから構成され、一方よりワイヤロープ等の紐状体を取り込むとともに、他方よりワイヤロープ等の紐状体を取り出し移動するウインチを用いてワイヤロープ等の紐状体を一方より他方に移動した後、該他方に移動したワイヤロープ等の紐状体を巻取リール等の取込出手段で取り込み／取り出しするウインチを用いたワイヤロープ等の紐状体の取り込み／取り出し方法において、巻回ドラムの正／逆回転駆動時のワイヤロープ等の紐状体の各移動方向に応してワイヤロープ等の紐状体の取り込み側を巻回ドラム方向に押圧移動しながらその取り込み移動を補助し、ワイヤロープ等の紐状体を巻回ドラムより取り出す側の押圧を解除しなからフリーの位置に移動することでワイヤロープ等の紐状体の取り込みと取り出しとの間を広げた状態で所望の方向に移動した後、該移動した量のワイヤロープ等の紐状体を所望の方向に自在に対応して取込出手段で取り込み／取り出しすることを特徴とする。
【手続補正５】
【補正対象書類名】明細書
【補正対象項目名】００２２
【補正方法】変更
【補正の内容】
【００２２】上記ワイヤロープ等の紐状体への移動を補助する具体的方法は、ワイヤロープ等の紐状体の巻回ドラムへの取り込み側を巻回ドラム方向に押圧移動しながらその取り込みを補助し、また、ワイヤロープ等の紐状体を巻回ドラムより取り出す側の押圧を解除しながらフリーの位置に移動することで、巻回ドラムの回転駆動をワイヤロープ等の紐状体に確実に伝え、ワイヤロープ等の紐状体の取り込み及び取り出し移動を確実に行うことができる。
【手続補正６】
【補正対象書類名】明細書
【補正対象項目名】００２３
【補正方法】変更
【補正の内容】
【００２３】このため、例えば、ワイヤロープ等の紐状体に弛み／撓みが発生しても巻回ドラムへの取り込み移動を行うことができ、従来のように巻回ドラムが空回りすることなく確実に移動することができ、また、ワイヤロープ等の紐状体の取り込みと取り出しとの間を広げた状態で所望の方向に移動することでワイヤロープ等の紐状体の磨耗を極力抑えることができる。
【手続補正７】
【補正対象書類名】明細書
【補正対象項目名】００２６
【補正方法】変更
【補正の内容】
【００２６】このように、巻回ドラムへの取り込み側のワイヤロープ等の紐状体を巻回ドラム側に押圧した状態で、巻回ドラムの回転に沿って取り出し側へと空回りすることなく移動することができる。
【手続補正８】
【補正対象書類名】明細書
【補正対象項目名】００２７
【補正方法】変更
【補正の内容】
【００２７】この際も、上記と同様に移動補助手段によりワイヤロープ等の紐状体の取り出し側の押圧移動体による巻回ドラム側への押圧を解除しながらフリーの位置に移動することで、ワイヤロープ等の紐状体を適切に取り出し移動することができる。
【手続補正９】
【補正対象書類名】明細書
【補正対象項目名】００３０
【補正方法】変更
【補正の内容】
【００３０】また、ウインチを用いたワイヤロープ等の紐状体の取り込み／取り出し方法は、ワイヤロープ等の紐状体を巻回ドラムに一方より他方に移動するように巻回し、巻回ドラムを正／逆回転駆動することでワイヤーロープ等の紐状体の巻回された巻回ドラムの外周の少なくとも一部／又は近傍を巻回ドラムの正／逆回転駆動時のワイヤロープ等の紐状体のあらゆる移動方向に応じて、ワイヤロープ等の紐状体の取り込み側では巻回ドラム側にワイヤロープ等の紐状体を押圧移動しながらその取り込みを補助し、ワイヤロープ等の紐状体の取り出し側では巻回ドラム側へのワイヤロープ等の紐状体の押圧を解除しながらフリーの位置に移動してワイヤロープ等の紐状体を所望の方向（取り込み方向と取り出し方向とが同じ方向、相違する方向（逆、９０度角度の相違する方向等））にワイヤロープ等の紐状体の取り込みと取り出しとの間を広げた状態で移動した後に、移動した量のワイヤロープ等の紐状体を疲労性屈曲を与えることなく所望の方向に自在に対応して取込出手段で取り込み／引き出しする。
【手続補正１０】
【補正対象書類名】明細書
【補正対象項目名】００４６
【補正方法】変更
【補正の内容】
【００４６】本発明において移動補助手段とは、巻回ドラム２の周辺の２箇所に設けられ、巻回ドラム２の溝２Ａ側に紐状体７を移動が付加されて押圧する構成と、紐状体７への押圧を解除しながらフリーの位置に移動する構成とをいう。
【手続補正書】
【提出日】平成19年10月30日(2007.10.30)
【手続補正１】
【補正対象書類名】特許請求の範囲
【補正対象項目名】全文
【補正方法】変更
【補正の内容】
【特許請求の範囲】
【請求項１】
ワイヤロープ等の紐状体を巻回するための巻回ドラムと、巻回ドラムを正／逆回転駆動する駆動源とから構成され、一方よりワイヤロープ等の紐状体を取り込むとともに、他方よりワイヤロープ等の紐状体を取り出し移動するウインチにおいて、前記巻回ドラムの外周の少なくとも一部又は近傍には、巻回ドラムの正／逆回転駆動に応じて、ワイヤロープ等の紐状体の巻回ドラムへの取り込み側を巻回ドラム方向にレール等の側面に沿って回転又は移動しながら、又はウインチ本体に設けられた固定軸に沿って回転／揺動移動しながら断続的に押圧を繰り返すことでその取り込みを補助し、巻回ドラムからのワイヤロープ等の紐状体の取り出し側は巻回ドラムより離反する方向にレール等の側面に沿って回転又は移動し、又はウインチ本体に設けられた固定軸に沿って回転／揺動移動してフリーの位置に移動することでワイヤロープ等の紐状体への押圧を解除するための移動補助手段が設けられていることを特徴とするウインチ。
【請求項２】
ワイヤロープ等の紐状体を巻回するための巻回ドラムと、巻回ドラムを正／逆回転駆動する駆動源とから構成され、一方よりワイヤロープ等の紐状体を取り込むとともに、他方よりワイヤロープ等の紐状体を取り出し移動するウインチを用いてワイヤロープ等の紐状体を一方より他方に移動した後、該他方に移動したワイヤロープ等の紐状体を巻取リール等の取込出手段で取り込み／取り出しするウインチを用いたワイヤロープ等の紐状体の取り込み／取り出し方法において、巻回ドラムの正／逆回転駆動時のワイヤロープ等の紐状体の各移動方向に応じてワイヤロープ等の紐状体の取り込み側を巻回ドラム方向に移動補助手段を用いてレール等の側面に沿って回転又は移動しながら、又はウインチ本体に設けられた固定軸に沿って回転／揺動移動しながら断続的に押圧を繰り返すことでその取り込みを補助し、巻回ドラムからのワイヤロープ等の紐状体の取り出し側は巻回ドラムより離反する方向にレール等の側面に沿って回転又は移動し、又はウインチ本体に設けられた固定軸に沿って回転／揺動移動してフリーの位置に移動することでワイヤロープ等の紐状体の取り込みと取り出しとの間を広げた状態で所望の方向に移動した後、該移動した量のワイヤロープ等の紐状体を所望の方向に自在に対応して取込出手段で取り込み／取り出しすることを特徴とするウインチを用いたワイヤロープ等の紐状体の取り込み／取り出し方法。
【手続補正２】
【補正対象書類名】明細書
【補正対象項目名】００１７
【補正方法】変更
【補正の内容】
【００１７】本発明は上記課題を解決するためのウインチの第１の手段は、ワイヤロープ等の紐状体を巻回するための巻回ドラムと、巻回ドラムを正／逆回転駆動する駆動源とから構成され、一方よりワイヤロープ等の紐状体を取り込むとともに、他方よりワイヤロープ等の紐状体を取り出し移動するウインチにおいて、前記巻回ドラムの外周の少なくとも一部又は近傍には、巻回ドラムの正／逆回転駆動に応じて、ワイヤロープ等の紐状体の巻回ドラムへの取り込み側を巻回ドラム方向にレール等の側面に沿って回転又は移動しながら、又はウインチ本体に設けられた固定軸に沿って回転／揺動移動しながら断続的に押圧を繰り返すことでその取り込みを補助し、巻回ドラムからのワイヤロープ等の紐状体の取り出し側は巻回ドラムより離反する方向にレール等の側面に沿って回転又は移動し、又はウインチ本体に設けられた固定軸に沿って回転／揺動移動してフリーの位置に移動することでワイヤロープ等の紐状体への押圧を解除するための移動補助手段が設けられていることを特徴とする。
【手続補正３】
【補正対象書類名】明細書
【補正対象項目名】００１８
【補正方法】削除
【補正の内容】
【手続補正４】
【補正対象書類名】明細書
【補正対象項目名】００１９
【補正方法】変更
【補正の内容】
【００１９】ウインチを用いたワイヤロープ等の紐状体の巻き取り方法に関する手段は、ワイヤロープ等の紐状体を巻回するための巻回ドラムと、巻回ドラムを正／逆回転駆動する駆動源とから構成され、一方よりワイヤロープ等の紐状体を取り込むとともに、他方よりワイヤロープ等の紐状体を取り出し移動するウインチを用いてワイヤロープ等の紐状体を一方より他方に移動した後、該他方に移動したワイヤロープ等の紐状体を巻取リール等の取込出手段で取り込み／取り出しするウインチを用いたワイヤロープ等の紐状体の取り込み／取り出し方法において、巻回ドラムの正／逆回転駆動時のワイヤロープ等の紐状体の各移動方向に応じてワイヤロープ等の紐状体の取り込み側を巻回ドラム方向に移動補助手段を用いてレール等の側面に沿って回転又は移動しながら、又はウインチ本体に設けられた固定軸に沿って回転／揺動移動しながら断続的に押圧を繰り返すことでその取り込みを補助し、巻回ドラムからのワイヤロープ等の紐状体の取り出し側は巻回ドラムより離反する方向にレール等の側面に沿って回転又は移動し、又はウインチ本体に設けられた固定軸に沿って回転／揺動移動してフリーの位置に移動することでワイヤロープ等の紐状体の取り込みと取り出しとの間を広げた状態で所望の方向に移動した後、該移動した量のワイヤロープ等の紐状体を所望の方向に自在に対応して取込出手段で取り込み／取り出しすることを特徴とする。